(57)【要約】【課題】各種異なるサイズの雌台に適用して、雄台と雌台がしっかりと掛合して信号の伝達を確実にする光ファイバーコネクタの雄台構造を提供する。【解決手段】光ファイバーコネクタの雄台構造は、プラスチック材の雌台及び雄台から構成される。そのうち、雌台の前方には差込槽が設置されてそこに雄台が定位される。後方は半導体部品で、差込槽内の上下には定位孔が設置される。雄台には雌台と合わさる差込ヘッドがあり、差込ヘッド上下には定位凸が成形される。定位凸箇所には二個の伸縮溝が設置され、雄台の差込ヘッド内に光ファイバーが設置される。雄台の差込ヘッドのサイズと異なるサイズの雌台の場合、伸縮溝で定位凸の高さを調整することによって緊密に定位させる。【選択図】図3
0003116320.tif 000002
【実用新案登録請求の範囲】
【請求項１】
主にプラスチック材の雌台及び雄台から構成され、雌台の前方には差込槽が成形されてそこに雄台を差し込んで定位し、後方に半導体部品が設置され、差込槽内の上下には定位孔が成形され、雄台には雌台の差込槽と相互に嵌合される差込ヘッドが設置され、差込ヘッドの上下には定位凸が設置され、雄台の差込ヘッド内には光ファイバーが設置され、雄台の差込ヘッドを雌台の差込槽に挿入する時、差込ヘッドの定位凸と差込槽の定位孔が相互に嵌合して定位し、更に雌台と雄台が相互に嵌合した時、光ファイバーは雌台後方の半導体部品によって信号の伝達が行われる光ファイバーコネクタの雄台構造において、雄台の差込ヘッドの定位凸箇所に二個の伸縮溝が設置され、定位凸の高さより僅かに大きく、雄台をサイズが大きい雌台に挿入する時、定位凸と差込槽の定位孔が緊密に嵌合し、また雄台のサイズより小さい雌台を挿入する時には、伸縮溝によって、定位凸が下へ押されて高さが下がり、差込槽の定位孔に定位されるもので、雄台とサイズの異なる雌台を緊密に嵌合し、雄、雌台の接合が緩むことによって生じる信号の伝達の不安定性を改善することを特徴とする光ファイバーコネクタの雄台構造。
【請求項２】
前記伸縮溝は、差込ヘッドが雌台に差し込む方向と平行に設置されることを特徴とする請求項1記載の光ファイバーコネクタの雄台構造。
【請求項３】
前記光ファイバーは、プラスチック光ファイバーであることを特徴とする請求項1記載の光ファイバーコネクタの雄台構造。
【請求項４】
前記定位凸は、差込槽を差し込むのと異なる方向の一側面に傾斜した案内辺を成形することを特徴とする請求項1記載の光ファイバーコネクタの雄台構造。
【考案の詳細な説明】
【技術分野】
【０００１】
本考案は、光ファイバーコネクタの雄台構造に関するもので、各種異なるサイズの雌台に適用して、雄台と雌台がしっかりと掛合して信号の伝達を確実にするものである。
【背景技術】
【０００２】
光ファイバー信号伝達は日々進歩しており、光ファイバーコネクタの必要性は増している。一般の光ファイバーコネクタは、プラスチック材の雄台及び雌台を使用しており、ビデオや音響等の電子製品に応用されたり、プラスチック光ファイバーの短距離通信に使用されたりしている。図1及び図2に示すのは、電気回路40上に設置したコネクタ10構造の概観立体図で、このコネクタ10はプラスチック材の雌台20及び雄台30から構成される。そのうち、雌台20の前側には差込槽21が設置されて、そこに雄台30を差し込んで定位する。後側は、半導体部品22で、差込槽21内の上下には定位孔211が成形される。雄台30には、雌台の差込槽21に対応する差込ヘッド31が成形され、差込ヘッド31上下には定位凸311が設置される。雄台30の差込ヘッド31内にはプラスチック光ファイバーFが固定され、雄台30の差込ヘッド31を雌台20の差込槽2ユに嵌合すると、差込ヘッド31の定位凸311と差込槽21の定位孔211が相互に掛合されて定位し、定位効果を具える。雌台20と雄台30が相互に嵌合された時、プラスチック光ファイバーFは、雌台20後方の半導体部品22と接触することにより、信号の伝達が行われる。
【０００３】
しかしながら、異なる雌台20は、そのサイズ及び規格が僅かに異なり、雄台30を雌台20に設置した時、異なる雌台20に対してサイズの調整を行い、雌台20としっかり合わさるようにしなければならない。
【考案の開示】
【考案が解決しようとする課題】
【０００４】
解決しようとする問題点は、サイズの調整を行う時、精密な計算によって、サイズを調整しなければならず、この作業は人に依る作業であるため、コストが合わない。更にサイズが僅かに合わない場合、雄台と雌台がしっかり嵌合できず、信号の伝達が安定しない点である。
【課題を解決するための手段】
【０００５】
本考案は、プラスチック材の雌台及び雄台から構成される。そのうち、雌台の前方には差込槽が設置されてそこに雄台が定位される。後方は半導体部品で、差込槽内の上下には定位孔が設置される。雄台には雌台と合わさる差込ヘッドがあり、差込ヘッド上下には定位凸が成形される。定位凸箇所には二個の伸縮溝が設置され、雄台の差込ヘッド内に光ファイバーが設置される。雄台の差込ヘッドのサイズと異なるサイズの雌台の場合、伸縮溝で定位凸の高さを調整することによって緊密に定位させることを最も主要な特徴とする。
【考案の効果】
【０００６】
本考案の光ファイバーコネクタの雄台構造は、各種異なるサイズの雌台に適用して、雄台と雌台がしっかりと掛合して信号の伝達を確実にするという利点がある。
【考案を実施するための最良の形態】
【０００７】
以下、本考案の実施例について、図面を参照しながら説明する。
【実施例１】
【０００８】
本考案の、コネクタ10は、プラスチック材の雌台20及び雄台30から構成される。そのうち、雌台20の前方には差込槽21が設置され、そこに雄台30が嵌合される。後方は半導体部品22で、差込槽21内の上下には定位孔211が設置される。雄台30は雌台の差込槽21に相互に嵌合する差込ヘッド31が成形され、その差込ヘッド31上下には定位凸311が成形される。雄台30の差込ヘッド31内にはプラスチック光ファイバーFが設置され、雄台30の差込ヘッド31を雌台20の差込槽21に挿入すると、差込ヘッド31の定位凸311と差込槽21の定位孔211が相互に嵌合して定位する。雌台20と雄台30が相互に嵌合した時、プラスチック光ファイバーFは雌台20後方の半導体部品22に接触し、信号の伝達が行われる。
【０００９】
図3に示すとおり、雄台30の差込ヘッド31は定位凸箇所に二個の伸縮溝312が設置される。この伸縮溝312は、差込ヘッド31が雌台20に差し込む方向に平行して成形され、同時に定位凸311の高さより僅かに高い。雄台30をサイズが僅かに大きい雌台20に挿入する時、定位凸311と差込槽の定位孔を緊密に嵌合させる。雄台30をサイズが僅かに小さい雌台に挿入する時、伸縮溝312を使って定位凸を下へ動かすと、定位凸311の高度が下がり、図4及び図5に示すとおり、差込槽21の定位孔211に掛合されて定位する。これらによって、雄台と異なるサイズの雌台を緊密に嵌合し、プラスチック光ファイバーFと半導体部品22を電導させ、雄台と雌台の緩み殻発生する信号伝達の不安定性を改善する。
【実施例２】
【００１０】
この他、図6及び図7に示すとおり、定位凸311の差込槽を差し込む方向と異なる一側面に、傾斜した案内辺313を成形し、雄台30と雌台20を分離したい時、案内辺313が設置されていることにより、簡単に分離する。
【図面の簡単な説明】
【００１１】
【図１】公知の電気回路に設置したコネクタの外観構造図である。
【図２】公知のコネクタの雄台、雌台の立体分解図である。
【図３】本考案のコネクタの雄台構造立体図である。
【図４】本考案のコネクタの雄台の使用状態図である。
【図５】本考案のコネクタの雄台、雌台と回路版の組立構造断面図である。
【図６】本考案のコネクタの雄台の第二実施例構造立体図である。
【図７】図7の差込ヘッドの拡大構造立体図である。
【符号の説明】
【００１２】
F  ラスチック光ファイバー
10  ネクタ
20  雌台
21  差込槽
211  定位孔
22  半導体部品
30  雄台
31  差込ヘッド
311  定位凸
312  伸縮溝
313  案内辺
40  電気回路
【図１】
0003116320.tif 000003
【図２】
0003116320.tif 000004
【図３】
0003116320.tif 000005
【図４】
0003116320.tif 000006
【図５】
0003116320.tif 000007
【図６】
0003116320.tif 000008
【図７】
0003116320.tif 000009